【手続補正書】
【提出日】平成18年12月18日(2006.12.18)
【手続補正１】
【補正対象書類名】明細書
【補正対象項目名】発明の名称
【補正方法】変更
【補正の内容】
【発明の名称】周波数シンセサイザ、周波数変換方法、画像形成装置、及び画像形成方法
【手続補正２】
【補正対象書類名】明細書
【補正対象項目名】特許請求の範囲
【補正方法】変更
【補正の内容】
【特許請求の範囲】
【請求項１】  基準クロック信号の周波数に対して係数倍の周波数を有する出力信号を発生する周波数シンセサイザであって、
前記出力信号の周期を略等分割した位相差を有するクロック信号群を発生する可変発振手段と、
第１の制御信号に基づいて、前記クロック信号群から所望とする隣接位相の２つのクロック信号対を選択して出力する主位相選択手段と、
第２制御信号に基づいて、前記クロック信号対と該クロック信号対の位相差内のクロック位相とから１つのクロック信号を選択して出力する副位相選択手段と、
前記選択された１つのクロック信号と周波数設定データとに基づいて、前記第１の制御信号および第２の制御信号を発生する制御信号発生手段と、
前記選択された１つのクロック信号と前記基準クロック信号とが入力され、該基準クロック信号に対する該クロック信号の位相差を示す位相差信号を出力する位相比較手段と、
前記出力された位相差信号に基づいて、前記可変発振手段を制御する発振制御手段と
を具えたことを特徴とする周波数シンセサイザ。
【請求項２】  基準クロック信号の周波数に対して係数倍の周波数を有する出力信号を発生する周波数シンセサイザであって、
前記出力信号の周期を略等分割した位相差を有するクロック信号群を発生する可変発振手段と、
第３の制御信号に基づいて、前記クロック信号群から１つのクロック信号を選択して出力する位相選択手段と、
前記クロック信号と前記周波数設定データとに基づいて、前記第３の制御信号を発生する制御信号発生手段と、
前記クロック信号と前記基準クロック信号とが入力され、該基準クロック信号に対する該クロック信号の位相差を示す位相差信号を出力する位相比較手段と、
前記出力された位相差信号に基づいて、前記可変発振手段を制御する発振制御手段と
を具えたことを特徴とする周波数シンセサイザ。
【請求項３】  前記クロック信号群および前記クロック対の中から、関連するクロック信号と周波数設定データとに基づいて前記第１の制御信号および第２の制御信号、又は、第３の制御信号を発生する制御信号発生手段をさらに具えたことを特徴とする請求項１又は２記載の周波数シンセサイザ。
【請求項４】  入力画像データに応じて画像の形成を行う画像形成装置であって、
請求項１ないし３のいずれかに記載の周波数シンセサイザと、
前記周波数シンセサイザからの出力信号に基づいて、前記入力画像データの出力制御を行うことによって画像の形成を行う出力制御手段と
を具えたことを特徴とする画像形成装置。
【請求項５】  前記画像データの画像サイズを所定画素数の間隔で検出する画像サイズ検出部と、
前記所定画素数を係数分割した画素数周期に基づいて、前記周波数シンセサイザの前記主位相選択手段および前記副位相選択手段、又は、前記位相選択手段を周期的に制御する制御手段をさらに具えたことを特徴とする請求項４記載の画像形成装置。
【請求項６】  基準クロック信号の周波数に対して係数倍の周波数を有する出力信号を発生する周波数変換方法であって、
前記出力信号の周期を略等分割した位相差を有するクロック信号群を発生する可変発振工程と、
第１の制御信号に基づいて、前記クロック信号群から所望とする隣接位相の２つのクロック信号対を選択して出力する主位相選択工程と、
第２制御信号に基づいて、前記クロック信号対と該クロック信号対の位相差内のクロック位相とから１つのクロック信号を選択して出力する副位相選択工程と、
前記選択された１つのクロック信号と周波数設定データとに基づいて、前記第１の制御信号および第２の制御信号を発生する制御信号発生工程と、
前記選択された１つのクロック信号と前記基準クロック信号とが入力され、該基準クロック信号に対する該クロック信号の位相差を示す位相差信号を出力する位相比較工程と、
前記出力された位相差信号に基づいて、前記可変発振工程において発生するクロック信号群を制御する発振制御工程と
を具えたことを特徴とする周波数変換方法。
【請求項７】  基準クロック信号の周波数に対して係数倍の周波数を有する出力信号を発生する周波数変換方法であって、
前記出力信号の周期を略等分割した位相差を有するクロック信号群を発生する可変発振工程と、
第３の制御信号に基づいて、前記クロック信号群から１つのクロック信号を選択して出力する位相選択工程と、
前記クロック信号と前記周波数設定データとに基づいて、前記第３の制御信号を発生する制御信号発生工程と、
前記クロック信号と前記基準クロック信号とが入力され、該基準クロック信号に対する該クロック信号の位相差を示す位相差信号を出力する位相比較工程と、
前記出力された位相差信号に基づいて、前記可変発振工程において発生するクロック信号群を制御する発振制御工程と
を具えたことを特徴とする周波数変換方法。
【請求項８】  前記クロック信号群および前記クロック対の中から、関連するクロック信号と周波数設定データとに基づいて前記第１の制御信号および第２の制御信号、又は、第３の制御信号を発生する制御信号発生工程をさらに具えたことを特徴とする請求項６又は７記載の周波数変換方法。
【請求項９】  入力画像データに応じて画像の形成を行う画像形成方法であって、
請求項６ないし８のいずれかに記載の周波数変換方法と、
前記周波数変換方法によって作成した出力信号に基づいて、前記入力画像データの出力制御を行うことによって画像の形成を行う出力制御工程と
を具えたことを特徴とする画像形成方法。
【請求項１０】  前記画像データの画像サイズを所定画素数の間隔で検出する画像サイズ検出工程と、
前記所定画素数を係数分割した画素数周期に基づいて、前記周波数変換方法による前記主位相選択工程および前記副位相選択工程、又は、前記位相選択工程
における前記クロック信号を選択して出力する制御を周期的に行う制御工程と
をさらに具えたことを特徴とする請求項９記載の画像形成方法。
【手続補正３】
【補正対象書類名】明細書
【補正対象項目名】０００１
【補正方法】変更
【補正の内容】
【０００１】
【発明の属する技術分野】
本発明は、周波数シンセサイザ、周波数変換方法、画像形成装置、及び画像形成方法に関し、特に、カラーレーザ印画エンジンの画素位置合わせに使用される入力基準クロック信号に対して係数倍周波数のクロック信号を出力可能な周波数変換処理及びその周波数変換処理を用いた画像形成処理に関する。
【手続補正４】
【補正対象書類名】明細書
【補正対象項目名】００１８
【補正方法】変更
【補正の内容】
【００１８】
そこで、本発明の目的は、高精度な画素単位の周波数制御、および、安価な構成によるＬＳＩ化が可能な周波数シンセサイザ、及び周波数変換方法を提供することにある。
【手続補正５】
【補正対象書類名】明細書
【補正対象項目名】００１９
【補正方法】変更
【補正の内容】
【００１９】
また、本発明の他の目的は、４ドラム等のカラーレーザ印画エンジンにおいて各色の画サイズ合わせを簡単にかつ確実に行うことが可能な画像形成装置、及び画像形成方法を提供することにある。
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】